(57)【特許請求の範囲】
【請求項１】
ガイドレールのガイド溝に沿ってハンガー本体をスライド可能に支持するスライド式シャワーハンガーにおいて、ガイドレールの背面にフック部が下向に延びる形態で掛止片を固着すると共に、該掛止片と同一形状に形成された他の掛止片をフック部が上向に延びる形態で壁面に固着し、この両掛止片を掛合わすことによりガイドレールを壁面に固定したことを特徴とするスライド式シャワーハンガーのガイドレール取付構造。
【請求項２】
ガイドレールの背面に形成されたアリ溝に掛止片の基部を挿入して該基部に背面よりビスを螺入することにより掛止片をガイドレールに固着した請求項１に記載のスライド式シャワーハンガーのガイドレール取付構造。
【請求項３】
両掛止片のフック部の内面をテーパ状に先細に形成した請求項１または２に記載のスライド式シャワーハンガーのガイドレール取付構造。
【請求項４】
ガイドレールのガイド溝に沿ってハンガー本体をスライド可能に支持するスライド式シャワーハンガーにおいて、ガイドレールの背面に形成されたアリ溝に掛止片の基部を挿入して該基部に背面よりビスを螺入することにより該掛止片をフック部が下向に延びる形態でガイドレールに固着すると共に、他の掛止片をフック部が上向に延びる形態で壁面に固着し、この両掛止片を掛合わすことによりガイドレールを壁面に固定したことを特徴とするスライド式シャワーハンガーのガイドレール取付構造。
【発明の詳細な説明】
【０００１】
【発明の属する技術分野】
本発明は、シャワーを壁面に固定されたガイドレールに沿って所定位置に移動し得るスライド式シャワーハンガーに関するもので、さらに詳しくはそのガイドレールの壁面への取付構造に関するものである。
【０００２】
【従来の技術】
浴室，シャワールーム等の壁面に固定した丸棒状のガイドレールに沿ってハンガー本体を移動できるようにしたスライド式シャワーハンガーは、実開昭６０−９１６５６号公報等により知られている。同公報に示されたスライド式シャワーハンガーは、ガイドレールの両端部にエンド部材が嵌着され、該エンド部材をビスにより壁面に固定したものであった。
【０００３】
ところでこのように両端部だけをビス止めした取付構造では、全長１メートル近くもあるような長いガイドレールの場合に、中間部における支持が不安定となって充分な取付強度が得られないという問題があった。しかし中間部においても両端部と同様のビス止をすると見栄を悪くしたりハンガー本体の移動の障害となるおそれがあった。
【０００４】
【発明が解決しようとする課題】
そこで本発明は、スライド式シャワーハンガーのガイドレールを表面にビスを露出させることなく見栄えよく壁面に固定できるスライド式シャワーハンガーのガイドレール取付構造を提供しようとするものである。
【０００５】
【課題を解決するための手段】
そのために本発明のスライド式シャワーハンガーのガイドレール取付構造は、ガイドレールのガイド溝に沿ってハンガー本体をスライド可能に支持するスライド式シャワーハンガーにおいて、ガイドレールの背面にフック部が下向に延びる形態で掛止片を固着すると共に、該掛止片と同一形状に形成された他の掛止片をフック部が上向に延びる形態で壁面に固着し、この両掛止片を掛合わすことによりガイドレールを壁面に固定したことを特徴とする。
また本発明は上記ガイドレールの背面に形成されたアリ溝に掛止片の基部を挿入して該基部に背面よりビスを螺入することにより掛止片をガイドレールに固着したことを特徴とする。
さらに本発明は上記両掛止片のフック部の内面をテーパ状に先細に形成したことを特徴とする。
また、本発明のスライド式シャワーハンガーのガイドレール取付構造は、ガイドレールのガイド溝に沿ってハンガー本体をスライド可能に支持するスライド式シャワーハンガーにおいて、ガイドレールの背面に形成されたアリ溝に掛止片の基部を挿入して該基部に背面よりビスを螺入することにより該掛止片をフック部が下向に延びる形態でガイドレールに固着すると共に、他の掛止片をフック部が上向に延びる形態で壁面に固着し、この両掛止片を掛合わすことによりガイドレールを壁面に固定したことを特徴とする。
【０００６】
【発明の実施の形態】
次に図面と共に本発明の実施の形態を説明する。図１にこのスライド式シャワーハンガーの外観斜視図、図２にその縦断面図、図３に図２のＡーＡ線断面図を示す。図において、１は両側面にガイド溝２，２が形成されたアルミ製の押出成形品からなるガイドレールで、該ガイドレール１に沿ってハンガー本体３がスライド可能に設けられ、該ハンガー本体３の一側に突設されたハンドル４を締付することにより該ハンガー本体３をガイドレール１上の所望位置で固定でき、シャワーヘッド５を所望の高さに支持できる。
【０００７】
ガイドレール１の背面にはアリ溝６が形成されている。７はプラスチック製の掛止片で、該掛止片７は図４に示したようにやや幅広に形成された基部８をアリ溝６に一端より挿入すると共に該基部８に形成された透孔９に背面より頭なしビス１０（タッピンネジ）を螺合し、該ビス１０の先端をアリ溝６内底に押圧することにより該掛止片７をフック部１１が下向となるように固着する。なお、該フック部１１の内面１２はテーパ状に先細に形成されている。
【０００８】
一方、図５に示した壁面固着用の掛止片１４は上記掛止片７と同一形状のプラスチック製のもので、基部１５とフック部１６とからなり、基部１５に透孔１７が形成されている。そして、該掛止片１４は頭付のビス１８を透孔１７に貫挿し浴室等の壁面に該フック部１６が上向となるように固着される。該フック部１６の内面１９はテーパ状に先細に形成されている。なお、２０は基部１５と壁面間に挟む水封用パッキンである。
【０００９】
しかして、このガイドレール１を取付けるに際しては、壁面の適宜高さに孔を開けて上記ビス１８を螺合し掛止片１４を固着し、該掛止片１４にガイドレール１背面の掛止片７を掛止し、図２に示したように両掛止片７，１４の内面１２，１９を重合させる。この内面１２，１９はテーパ面のために、ガイドレール１が荷重により下がると該ガイドレール１は壁面に隙間なく引き寄せられ止着できる。
【００１０】
そしてガイドレール１の上端部および下端部には、図１に例示したようにエンド部材２１を装着し、ビス２２を該ガイドレール１およびエンド部材２１に貫通させることにより壁面に固着すると共に、該上端部および下端部をエンドキャップ２３により被う。
【００１１】
【発明の効果】
このように本発明のスライド式シャワーハンガーのガイドレール取付構造は、ガイドレールの背面に掛止片を固着し、これを壁面に固着した掛止片に掛合わすことによりガイドレールを壁面に固定したので、長いガイドレールでも中間部にて壁面に固定でき取付強度が得られる。またガイドレールの背面に形成されたアリ溝に掛止片の基部を挿入して該基部に背面よりビスを螺入することにより掛止片を固着することで、ガイドレールを表面にビスを露出させることなく見栄えよく固定できる利点がある。
【図面の簡単な説明】
【図１】本発明に係るスライド式シャワーハンガーの外観斜視図。
【図２】図１のガイドレールの縦断面図。
【図３】図２のＡ−Ａ線断面図。
【図４】ガイドレール背面の分解斜視図。
【図５】壁面固着用掛止片の分解斜視図。
【符号の説明】
１            ガイドレール
２            ガイド溝
３            ハンガー本体
４            ハンドル
５            シャワーヘッド
６            アリ溝
７，１４      掛止片
８            基部
９            透孔
１０          頭なしビス
１１          フック部
１２，１９    内面
１５          基部
１６          フック部
１７          透孔
１８          頭付のビス
２０          水封用パッキン
【図１】
0003682665.tif 000002
【図２】
0003682665.tif 000003
【図３】
0003682665.tif 000004
【図５】
0003682665.tif 000005
【図４】
0003682665.tif 000006